(57)【要約】【課題】傾斜角度が所定の角度になっているか否かを素早く、且つ無駄な正確さを省いて検出、報知でき、ギャッチ角度の調節を容易に、素早く適切な範囲へと合わせることが可能となる傾斜角度検出報知器の提供を課題とする。【解決手段】ケース１０内に、傾斜角度検出手段と、検出された傾斜角度が予め定めた１乃至複数の傾斜角度領域に入っているか否かを判定する傾斜角度判定手段と、判定された各傾斜角度領域に対応して、ランプを点灯制御するランプ点灯処理部と、電源部とを設備し、ケース表面１０ａには、ランプ配置部１１と、ランプ１１ａ〜１１ｇのうち主たる傾斜角度領域に対応する１乃至複数のランプの位置に合わせて代表角度１２ａ〜１２ｃを表示した代表角度表示部１２とを設け、ケース裏面はフラット面として、被検出傾斜面に対して着脱自在に接面載置できるように構成してある。【選択図】      図１
0003173343.tif 000002
【実用新案登録請求の範囲】
【請求項１】
ケース内に、傾斜角度検出手段と、該傾斜角度検出手段で検出された傾斜角度が予め定めた１乃至複数の傾斜角度領域に入っているか否かを判定する傾斜角度判定手段と、該傾斜角度判定手段で判定された各傾斜角度領域に対応して、ランプを点灯制御するランプ点灯処理部と、電源部とを設備し、ケース表面には、前記各傾斜角度領域に対応した１乃至複数のランプを配置したランプ配置部と、該ランプ配置部のランプのうち主たる傾斜角度領域に対応する１乃至複数のランプの位置に合わせて当該傾斜角度領域の代表角度を表示した代表角度表示部とを設け、且つケース裏面はフラット面として、被検出傾斜面に対して着脱自在に接面載置できるように構成してあることを特徴とする傾斜角度検出報知器。
【請求項２】
ランプ配置部の各ランプは傾斜角度領域に応じて異なる発光色のＬＥＤで構成してあることを特徴とする請求項１に記載の傾斜角度検出報知器。
【請求項３】
主たる傾斜角度領域を３０度領域、４５度領域、６０度領域とし、代表角度表示部における代表角度を、それぞれ前記３０度領域、４５度領域、６０度領域に対応して３０度、４５度、６０度として表示してあることを特徴とする請求項１又は２に記載の傾斜角度検出報知器。
【請求項４】
３０度領域、４５度領域、６０度領域は、それぞれ３０度、４５度、６０度を中心値として、上下に一定の判定上限値と判定下限値からなる許容角度範囲を予め定めてあることを特徴とする請求項３に記載の傾斜角度検出報知器。
【請求項５】
傾斜角度領域は、傾斜角度が０〜９０度の範囲を前記３０度領域、４５度領域、６０度領域と、それらの中間の２領域、３０度領域未満の領域、６０度領域超の領域からなる連続した７領域としてあることを特徴とする請求項３又は４に記載の傾斜角度検出報知器。
【請求項６】
検出された各傾斜角度領域が３０度領域、４５度領域、６０度領域である場合には、それぞれ領域毎に識別できる音を、前記ランプ配置部による点灯表示に加えて発する音声報知手段を備えてあることを特徴とする請求項３〜５の何れかに記載の傾斜角度検出報知器。
【請求項７】
被検出傾斜面の上端に引っ掛けることができる引掛部を進退自在に備えてあることを特徴とする請求項１〜６の何れかに記載の傾斜角度検出報知器。
【考案の詳細な説明】
【技術分野】
【０００１】
本考案は、ベッドのギャッチ角度やその他の被検出傾斜面の傾斜角度を検出して報知する傾斜角度検出報知器に関する。
【背景技術】
【０００２】
従来、病院等での摂食嚥下介助に際して、ベッドのギャッチ角度の調節は重要であると言われ、嚥下造影検査時においてもギャッチ角度の指示がある。
実際の現場におけるギャッチ角度の調節は、（１）三角定規を用いる、（２）分度器を用いる、（３）ベッドに取り付けたアナログ表示等の角度計を用いる、（４）目視で調節する、等で行っている。
しかし、これら従来の調節方法や角度検出では、角度検出に手間取ったり、ギャッチ角度の調節に時間がかかる。またギャッチ角度の調節が大雑把になり易く、特に目視では人によってバラツキが大きい等の問題があった。
特開平８−１３１４８７号公報（特許文献１）には、起床角度調節手段を有する床部起伏機構を備えたベッドが開示されている。
【先行技術文献】
【特許文献】
【０００３】
【特許文献１】特開平８−１３１４８７号公報
【考案の概要】
【考案が解決しようとする課題】
【０００４】
上記特許文献１に開示された考案では、起床角度調節手段を有する床部起伏機構がベッドに備え付けであることから、このベッドを購買しない限り、上記のようなギャッチ角度を検出し、また調節することができないという問題がある。
【０００５】
そこで本考案は上記従来における問題点を解決し、ギャッチ角度の検出機能や自動調節機能を備えない従来からのベッドにも容易に対応して用いることができ、誰でも容易、簡単に使用することができると共に、ベッドの傾斜角度が所定のギャッチ角度になっているか否かを素早く、且つ必要以上の無駄な正確さを省いて検出、報知することができ、よってギャッチ角度の調節も容易に、素早く適切な範囲へと合わすことが可能となる傾斜角度検出報知器の提供を課題とする。
【課題を解決するための手段】
【０００６】
本考案の傾斜角度検出報知器は、ケース内に、傾斜角度検出手段と、該傾斜角度検出手段で検出された傾斜角度が予め定めた１乃至複数の傾斜角度領域に入っているか否かを判定する傾斜角度判定手段と、該傾斜角度判定手段で判定された各傾斜角度領域に対応して、ランプを点灯制御するランプ点灯処理部と、電源部とを設備し、ケース表面には、前記各傾斜角度領域に対応した１乃至複数のランプを配置したランプ配置部と、該ランプ配置部のランプのうち主たる傾斜角度領域に対応する１乃至複数のランプの位置に合わせて当該傾斜角度領域の代表角度を表示した代表角度表示部とを設け、且つケース裏面はフラット面として、被検出傾斜面に対して着脱自在に接面載置できるように構成してあることを第１の特徴としている。
また本考案の傾斜角度検出報知器は、上記第１の特徴に加えて、ランプ配置部の各ランプは傾斜角度領域に応じて異なる発光色のＬＥＤで構成してあることを第２の特徴としている。
また本考案の傾斜角度検出報知器は、上記第１又は第２の特徴に加えて、主たる傾斜角度領域を３０度領域、４５度領域、６０度領域とし、代表角度表示部における代表角度を、それぞれ前記３０度領域、４５度領域、６０度領域に対応して３０度、４５度、６０度として表示してあることを第３の特徴としている。
また本考案の傾斜角度検出報知器は、上記第３の特徴に加えて、３０度領域、４５度領域、６０度領域は、それぞれ３０度、４５度、６０度を中心値として、上下に一定の判定上限値と判定下限値からなる許容角度範囲を予め定めてあることを第４の特徴としている。
また本考案の傾斜角度検出報知器は、上記第３又は第４の特徴に加えて、傾斜角度領域は、傾斜角度が０〜９０度の範囲を前記３０度領域、４５度領域、６０度領域と、それらの中間の２領域、３０度領域未満の領域、６０度領域超の領域からなる連続した７領域としてあることを第５の特徴としている。
また本考案の傾斜角度検出報知器は、上記第３〜第５の何れかの特徴に加えて、検出された各傾斜角度領域が３０度領域、４５度領域、６０度領域である場合には、それぞれ領域毎に識別できる音を、前記ランプ配置部による点灯表示に加えて発する音声報知手段を備えてあることを第６の特徴としている。
また本考案の傾斜角度検出報知器は、上記第１〜第６の何れかの特徴に加えて、被検出傾斜面の上端に引っ掛けることができる引掛部を進退自在に備えてあることを第７の特徴としている。
【考案の効果】
【０００７】
請求項１に記載の傾斜角度検出報知器によれば、被検出傾斜面に当該傾斜角度検出報知器が置かれることで、傾斜角度の検出と報知が行われる。
ケース裏面のフラット面が被検出傾斜面に接面状態に置かれることで、被検出傾斜面の傾斜角度がケース内に設備された傾斜角度検出手段により検出される。この検出された傾斜角度は傾斜角度判定手段によって、予め定められた１乃至複数の傾斜角度領域のうちのどの傾斜角度領域に入っているかが判定される。そして傾斜角度領域が判定されると、その判定された傾斜角度領域に対応するランプが点灯される。
ケース表面には、前記１乃至複数の傾斜角度領域に対応する１乃至複数のランプが配置されたランプ配置部が設けられており、ケース表面のランプ配置部の何れかのランプが点灯されることで、そのランプ点灯により、どの傾斜角度領域に被検出傾斜面が属しているのかが判る。
またケース表面には、前記ランプ配置部の他に、代表角度表示部が設けられており、前記１乃至複数の傾斜角度領域のうちの主たる傾斜角度領域に対応するランプが点灯した場合には、被検出傾斜面の角度が属する傾斜角度領域を代表角度の表示で知ることができる。
よって請求項１に記載の傾斜角度検出報知器によれば、該傾斜角度検出報知器をベッド等の傾斜面に載置することで、その傾斜面の傾斜角度を容易に検出して報知することができる。
またギャッチ角度の検出機能や自動調節機能を備えない従来からのベッド等にも容易に対応して用いることができる。
またベッド等の傾斜角度調節の調節動作に伴う傾斜角度の変化を各ランプの点灯の変化によりリアルタイムで知ることができるので、ベッド等の角度調節作業が非常に容易となる。
また被傾斜面の角度を厳密な個々の数値で報知するのではなく、角度領域という概念を導入して表現することにより、ランプを用いた判り易い角度報知を行うことができる。
更に本考案の傾斜角度検出報知器によれば、主たる傾斜角度領域という概念を導入して、その主たる傾斜角度領域についてはランプ表示と共にその傾斜角度領域を代表角度で表示するようにしているので、例えば病院等のベッドにおいて日常よく使用する角度で、しかも角度誤差の許容範囲が一定の範囲で認められるような条件化においては、そのベッドの角度調節を無駄な正確さを省いてスムーズに且つ適切に行うことが可能となる。
【０００８】
請求項２に記載の傾斜角度検出報知器によれば、上記請求項１に記載の構成による作用効果に加えて、ランプ配置部の各ランプは傾斜角度領域に応じて異なる発光色のＬＥＤで構成してあるので、
検出される被検出傾斜面の傾斜角度領域に応じた色のＬＥＤで点灯させることができ、作業者等は所定の角度に調節できたかを所定のＬＥＤランプの色が変化したか否かで瞬時に知ることが可能となる。
【０００９】
請求項３に記載の傾斜角度検出報知器によれば、上記請求項１又は２に記載の構成による作用効果に加えて、主たる傾斜角度領域を３０度領域、４５度領域、６０度領域とし、代表角度表示部における代表角度を、それぞれ前記３０度領域、４５度領域、６０度領域に対応して３０度、４５度、６０度として表示してあるので、
主たる傾斜角度領域についてはランプの他に角度表示もしているので、病院等のベッドでよく使用するギャッチ角度である３０度、４５度、６０度の調節に際して、非常に見易く、判り易い報知を行うことができる。よってまた調節作業をスムーズに行うことが可能となる。
【００１０】
請求項４に記載の傾斜角度検出報知器によれば、上記請求項３に記載の構成による作用効果に加えて、３０度領域、４５度領域、６０度領域は、それぞれ３０度、４５度、６０度を中心値として、上下に一定の判定上限値と判定下限値からなる許容角度範囲を予め定めてあるので、
病院等のベッドでよく使用するギャッチ角度である３０度、４５度、６０度の調節に際して、無駄な正確さを排除して、予め許容される角度範囲をその代表値である３０度、４５度、６５度でもって非常に判り易く、端的に報知することができる。
【００１１】
請求項５に記載の傾斜角度検出報知器によれば、上記請求項３又は４に記載の構成による作用効果に加えて、傾斜角度領域は、傾斜角度が０〜９０度の範囲を前記３０度領域、４５度領域、６０度領域と、それらの中間の２領域、３０度領域未満の領域、６０度領域超の領域からなる連続した７領域としてあるので、
比較的よく利用する３０度領域、４５度領域、６０度領域の他は、広範な領域をもって各傾斜角度領域を設定し、これにより全部で７個の少ないライトでもって、必要な角度情報をごく簡潔、明瞭に表示、報知することが可能となる。
【００１２】
請求項６に記載の傾斜角度検出報知器によれば、上記請求項３〜５の何れかに記載の構成による作用効果に加えて、検出された各傾斜角度領域が３０度領域、４５度領域、６０度領域である場合には、それぞれ領域毎に識別できる音を、前記ランプ配置部による点灯表示に加えて発する音声報知手段を備えてあるので、
被検出傾斜面の検出角度が３０度領域、４５度領域、６０度領域である場合には、音声だけでも報知を受けることができるので、作業者等は角度調節作業をしながらでも容易に、調節傾斜角度がそれら３０度領域、４５度領域、６０度領域に調節できたことを知ることができる。
【００１３】
請求項７に記載の傾斜角度検出報知器によれば、上記請求項１〜６の何れかに記載の構成による作用効果に加えて、被検出傾斜面の上端に引っ掛けることができる引掛部を進退自在に備えてあるので、
必要に応じて引掛部を進出させることで、傾斜角度検出報知器をその引掛部でベッド等の被検出傾斜面の上端に簡単に引っ掛けて載置し、傾斜角度の検出、報知を行うことができる。
【図面の簡単な説明】
【００１４】
【図１】本考案の実施形態に係る傾斜角度検出報知器のケースの表面側を示す斜視図である。
【図２】本考案の実施形態に係る傾斜角度検出報知器のケースの裏面側を示す斜視図である。
【図３】本考案の実施形態に係る傾斜角度検出報知器のケースの裏面側を示す斜視図で、引掛部を進出させた状態を示す。
【図４】本考案の実施形態に係る傾斜角度検出報知器をベッドの被検出傾斜面の上端に引っ掛けて載置した状態を示す斜視図である。
【図５】本考案の実施形態に係る傾斜角度検出報知器のケース内に構成される制御手段のブロック構成図である。
【図６】本考案の実施形態に係る傾斜角度検出報知器による制御フロー図である。
【考案を実施するための形態】
【００１５】
以下の図面を参照して、本考案の実施形態に係る傾斜角度検出報知器を説明し、本考案の理解に供する。しかし、以下の説明は本考案の実用新案登録請求の範囲に記載の考案を限定するものではない。
【００１６】
先ず図１を参照して、本考案に係る傾斜角度検出報知器は、コンパクトなケース１０に組み込まれている。ケース１０は、例えば図に示すような、比較的扁平な直方体形状として構成することができる。
ケース表面１０ａには、ランプ配置部１１、代表角度表示部１２、スピーカ１３、電源ランプ１４、ケース１０を傾斜面に載置する際に、どちらを傾斜面の下側に配置するかを示す下側表示１５が設けられている。
【００１７】
前記ランプ配置部１１には、複数のＬＥＤランプ１１ａ〜１１ｇが縦列配置されている。
前記代表角度表示部１２には、３０°の数値記号と角度図からなる第１の代表角度１２ａ、４５°の数値記号と角度図からなる第２の代表角度１２ｂ、及び６０°の数値記号と角度図からなる第３の代表角度１２ｃが表示されている。
前記スピーカ１３は後述する音声報知手段の端末として、音或いは音声を出す。
前記下側表示１５には、下側という文字と下向き矢印の組み合わせが表示されている。
【００１８】
前記ケース１０の側面１０ｂ（本実施形態では上の側面）の一部には電源スイッチ１６が設けられている。
【００１９】
図２、図３も参照して、ケース１０の裏面１０ｃには、引掛部１７と電池ボックス１８が設けられている。
前記引掛部１７は、傾斜角度検出報知器をベッド等における被検出傾斜面Ｆ（図４参照）の上端に引っ掛けて載置するのに便利に用いることができる。この引掛部１７はケース１０の長手方向に直角に配された枢軸１７ａの周りに回動することで、その位置を進退自在とすることができる。そして進出位置では引掛部１７がケース１０の裏面１０ｃに対して９０度の角度で立ち上がった状態となる。
図４に示すように、立ち上がった引掛部１７をベッドＢ等の被検出傾斜面Ｆの上端に掛けることで、傾斜角度検出報知器が傾斜面上に滑ることなく接面した状態で載置される。
引掛部１７は、その後退位置でケース１０の裏面１０ｃに面一になるのが好ましい。
【００２０】
図５を参照して、前記ケース１０の内には、制御回路部２０と、該制御回路部２０に傾斜角度情報を入力する傾斜角度検出手段２１、制御回路部２０及び傾斜角度検出手段２１に電力を供給する電源部２２が設けられている。
前記傾斜角度検出手段２１は、具体的には傾斜角度センサが設備されている。この傾斜角度センサは、例えば３軸加速度センサを用いて構成することができる。
前記電源部２２は、具体的には電池である。この電池が前記電池ボックス１８に収納されている。
【００２１】
前記制御回路部２０には、傾斜角度判定手段としての傾斜角度判定部２３と、ＬＥＤランプ１１ａ〜１１ｇを点灯制御するランプ点灯処理部２４と、前記スピーカ１３を鳴らす音声報知手段としての音声報知部２５が設けられている。
【００２２】
次に図６も参照して、前記傾斜角度判定部２３とランプ点灯処理部２４と音声報知部２５とを備えた制御回路部２０による、ベッドＢの被検出傾斜面Ｆの傾斜角度検出報知の仕方を説明する。
先ず、傾斜角度検出報知器の電源スイッチ１６をオンにし、電源ランプ１４の点灯によりスイッチオンを確認する。
次にケース裏面１０ｃ側の引掛部１７を起立させ、ケース表面１０ａの下側表示１５が被検出傾斜面Ｆの傾斜面の下側になるように、前記引掛部１７をベッドＢの傾斜面の上端に掛けて、被検出傾斜面Ｆ上に傾斜角度検出報知器を載置する。このとき、ケース１０の裏面１０ｃが被検出傾斜面Ｆに接面していることを確認する。
次に、ベッドＢを所望の傾斜角度に向けて徐々に上げていく。
【００２３】
前記被検出傾斜面Ｆ上に載置された傾斜角度検出報知器は、前記傾斜角度検出手段２１が被検出傾斜面Ｆの傾斜角度の検出を開始する。
前記傾斜角度判定部２３は、予め定めた短い一定の時間間隔毎に前記傾斜角度検出手段２１からの角度情報を取り入れて判定を行う。
判定処理は、前記傾斜角度判定部２３に取り入れた角度情報である検出角度ｘが、先ず第１角度領域（検出角度ｘ＜２８°）に属しているか否かを判定する（ステップＳ１）。第１角度領域に属していれば（ステップＳ１でＹＥＳ）、第１ＬＥＤランプ１１ａを点灯させる（ステップＳ２）。この第１ＬＥＤランプ１１ａの点灯色は、例えば赤色とすることができる。この場合、赤は外れていると言った意味を持たせている。
【００２４】
前記ステップＳ１でＮＯの場合は、ステップＳ３に進んで、検出角度ｘが第２角度領域（２８°≦検出角度ｘ≦３２°）に属するか否かを判定する。第２角度領域に属していれば（ステップＳ３でＹＥＳ）、音声処理１を行い（ステップＳ４）、第２ＬＥＤランプ１１ｂを点灯させる（ステップＳ５）。
前記第２角度領域（２８°≦検出角度ｘ≦３２°）は、ギャッチ角度としてよく使用する主たる傾斜角度領域として、３０度領域としている。この３０度領域は、その代表角度を３０度とし、この代表角度３０度を第１の代表角度１２ａとして代表角度表示部１２に表示している。
また代表角度３０度で表示される第２角度領域は、その中心値を３０度とすると共に、その上下に２度の許容角度範囲を設けている。許容角度範囲を設けることで、許される範囲でのギャッチ角度調節を素早く、簡易に行うことができる。許容角度範囲は必要に応じて予め変更設定しておくことができる。
前記音声処理１は、例えば１０００Ｈｚの音を１０ミリ秒間、１回、スピーカ１３から鳴らす構成とすることができる。
前記第２ＬＥＤランプ１１ｂの点灯色は、例えば青色とすることができる。
【００２５】
ステップＳ３でＮＯの場合は、ステップ６に進んで、検出角度ｘが第３角度領域（３２°＜検出角度ｘ＜４３°）に属しているか否かを判定する。第３角度領域に属していれば（ステップＳ６でＹＥＳ）、第３ＬＥＤランプ１１ｃを点灯させる（ステップＳ７）。この第３ＬＥＤランプ１１ｃの点灯色も、例えば前記第１ＬＥＤランプ１１ａの場合と同様に赤とすることができる。
【００２６】
前記ステップＳ６でＮＯの場合は、ステップＳ８に進んで、検出角度ｘが第４角度領域（４３°≦検出角度ｘ≦４７°）に属するか否かを判定する。第４角度領域に属していれば（ステップＳ８でＹＥＳ）、音声処理２を行い（ステップＳ９）、第４ＬＥＤランプ１１ｄを点灯させる（ステップＳ１０）。
前記第４角度領域（４３°≦検出角度ｘ≦４７°）は、ギャッチ角度としてよく使用する主たる傾斜角度領域として、４５度領域としている。この４５度領域は、その代表角度を４５度とし、この代表角度４５度を第２の代表角度１２ｂとして代表角度表示部１２に表示している。
また代表角度４５度で表示される第４角度領域は、その中心値を４５度とすると共に、その上下に２度の許容角度範囲を設けている。
前記音声処理２は、音声処理１とは異なる音、例えば４０００Ｈｚの音を１０ミリ秒間、２回、スピーカ１３から鳴らす構成とすることができる。
前記第４ＬＥＤランプ１１ｄの点灯色は、例えば黄色とし、第２ＬＥＤランプ１１ｂと異ならせることができる。
【００２７】
ステップＳ８でＮＯの場合は、ステップ１１に進んで、検出角度ｘが第５角度領域（４７°＜検出角度ｘ＜５８°）に属しているか否かを判定する。第５角度領域に属していれば（ステップＳ１１でＹＥＳ）、第５ＬＥＤランプ１１ｅを点灯させる（ステップＳ１２）。この第５ＬＥＤランプ１１ｅの点灯色も、例えば前記第１ＬＥＤランプ１１ａや第３ＬＥＤランプ１１ｃの場合と同様に赤とすることができる。
【００２８】
前記ステップＳ１１でＮＯの場合は、ステップＳ１３に進んで、検出角度ｘが第６角度領域（５８°≦検出角度ｘ≦６２°）に属するか否かを判定する。第６角度領域に属していれば（ステップＳ１３でＹＥＳ）、音声処理３を行い（ステップＳ１４）、第６ＬＥＤランプ１１ｆを点灯させる（ステップＳ１５）。
前記第６角度領域（５８°≦検出角度ｘ≦６２°）は、ギャッチ角度としてよく使用する主たる傾斜角度領域として、６０度領域としている。この６０度領域は、その代表角度を６０度とし、この代表角度６０度を第３の代表角度１２ｃとして代表角度表示部１２に表示している。
また代表角度６０度で表示される第６角度領域は、その中心値を６０度とすると共に、その上下に２度の許容角度範囲を設けている。
前記音声処理３は、音声処理１、２とは異なる音、例えば７０００Ｈｚの音を１０ミリ秒間、３回、スピーカ１３から鳴らす構成とすることができる。
前記第６ＬＥＤランプ１１ｆの点灯色は、例えば橙色とし、第２ＬＥＤランプ１１ｂ、第４ＬＥＤランプ１１ｄと異ならせることができる。
【００２９】
ステップＳ１３でＮＯの場合は、ステップ１６に進んで、検出角度ｘが第７角度領域（６２°＜検出角度ｘ）に属しているか否かを判定する。第７角度領域に属していれば（ステップＳ１６でＹＥＳ）、第７ＬＥＤランプ１１ｇを点灯させる（ステップＳ１７）。この第７ＬＥＤランプ１１ｇの点灯色も、例えば前記第１ＬＥＤランプ１１ａ、第３ＬＥＤランプ１１ｃ、第５ＬＥＤランプ１１ｅの場合と同様に赤とすることができる。
【００３０】
以上のようなフローにおいて、作業者は、ベッドＢの傾斜角度を増加若しくは減少させながら、所定のランプが点灯し或いは所定の音声が発せられると、それらの報知に応じてベッド角度の増減調節を停止することで、所定のギャッチ角度への調節を完了させることができる。
【００３１】
なお上記において、傾斜角度領域は７領域としたが、この数に限定されるものではない。
また主たる傾斜角度領域を３０度領域、４５度領域、６０度領域としたが、この角度に限定されるものではない。使用頻度の高いギャッチ角度に応じて、主たる傾斜角度領域とその数を予め設定しておくことができる。
また音声処理による音声報知は主たる傾斜角度領域の場合にのみ行ったが、全ての傾斜角度領域において対応する音声報知を行うようにすることができる。
【産業上の利用可能性】
【００３２】
本考案はベッド等のギャッチ角度を調節する際の傾斜角度検出報知器として、産業上の利用価値がある。
【符号の説明】
【００３３】
１０          ケース
１０ａ        ケース表面
１０ｂ        ケース側面
１０ｃ        ケース裏面
１１          ランプ配置部
１１ａ〜ｇ    ＬＥＤランプ
１２          代表角度表示部
１２ａ        第１の代表角度
１２ｂ        第２の代表角度
１２ｃ        第３の代表角度
１３          スピーカ
１４          電源ランプ
１５          下側表示
１６          電源スイッチ
１７          引掛部
１７ａ        枢軸
１８          電池ボックス
２０          制御回路部
２１          傾斜角度検出手段
２２          電源部
２３          傾斜角度判定部
２４          ランプ点灯処理部
２５          音声報知部
Ｆ            被検出傾斜面
Ｂ            ベッド
【図１】
0003173343.tif 000003
【図２】
0003173343.tif 000004
【図３】
0003173343.tif 000005
【図４】
0003173343.tif 000006
【図５】
0003173343.tif 000007
【図６】
0003173343.tif 000008